(57)【特許請求の範囲】
【請求項１】
裏面側にヒータ収容凹部が形成されたパネル基材と、
前記ヒータ収容凹部に収容される、上側に均熱シートが配設された電気ヒータと、
前記ヒータ収容凹部に前記電気ヒータが収容された状態で、前記ヒータ収容凹部を閉塞する裏板とを備えた床暖房パネルにおいて、
前記裏板は断熱材によって形成されていると共に、前記パネル基材の裏面側には前記裏板が嵌合する嵌合凹部が形成されており、
前記電気ヒータは、前記裏板に予め固着されており、
前記ヒータ収容凹部は、前記嵌合凹部より小さく、前記嵌合凹部の内側に形成されており、
前記裏板の周縁部と前記嵌合凹部とが直接接着固定されていることを特徴とする床暖房パネル。
【発明の詳細な説明】
【０００１】
【発明の属する技術分野】
この発明は、床暖房フロアの施工に使用される床暖房パネル、特に、パネル本体に電気ヒータが内蔵された電気式の床暖房パネルに関する。
【０００２】
【従来の技術】
例えば、根太工法用の床暖房パネル、即ち、根太の上に敷設された捨貼合板等の床下地材の上に敷設していく床暖房パネルとしては、図７（ａ）、（ｂ）及び図８（ａ）、（ｂ）に示すようなものがある。この床暖房パネル５０は、同図に示すように、長方形状のパネル本体５１と、このパネル本体５１に内蔵される自己温度制御特性を有する面状発熱体５４とを備えており、面状発熱体５４に接続された２本の電源線５５及び１本のアース線５６はパネル本体５１を短手方向に横断するように配設されていると共に、この電源線５５及びアース線５６の両端部にはそれぞれコネクタ５７、５８が接続されている。
【０００３】
パネル本体５１は、裏面側にヒータ収容凹部５２ａが形成されたパネル基材５２と、面状発熱体５４をヒータ収容凹部５２ａに収容した状態に保持する、ＭＤＦ（中質繊維板）等によって形成された２枚の裏板５３ａ、５３ｂとから構成されており、裏板５３ａ、５３ｂは、電源線５５及びアース線５６の横断部分を除いて、面状発熱体５４の発熱領域をそれぞれ覆うように、パネル基材５２に形成された、ヒータ収容凹部５２ａより一回り大きい嵌合凹部５２ｂに嵌め込んで固定するようになっている。
【０００４】
【発明が解決しようとする課題】
ところで、この床暖房パネル５０は、上述したように、パネル基材５２のヒータ収容凹部５２ａに収容された面状発熱体５４が、パネル基材５２の嵌合凹部５２ｂに嵌着されたＭＤＦからなる薄い裏板５３ａ、５３ｂによって、パネル基材５２内に保持されているだけなので、面状発熱体５４の熱がパネル本体５１の裏面側に放出されやすく、この床暖房パネル５０を捨貼合板等の床下地材の上に直接敷設していたのでは、パネル本体５１の表面側を効率よく加熱することができず、暖房効率のよい床暖房フロアを施工することができない。
【０００５】
従って、この床暖房パネル５０を用いて床暖房フロアを施工する場合は、捨貼合板等からなる床下地材の上に床暖房パネル５０を直接敷設するのではなく、図９（ａ）、（ｂ）に示すように、床下地材６０の上に断熱性シート６１を敷設したうえで床暖房パネル５０を敷設しなければならず、床暖房フロアを短時間で効率よく施工することができないという問題がある。
【０００６】
そこで、この発明の課題は、床下地材の上に断熱性シート等の断熱材を敷設することなく、短時間で効率よく床暖房フロアを施工することのできる床暖房パネルを提供することにある。
【０００７】
【課題を解決するための手段及びその効果】
上記の課題を解決するため、請求項１に係る発明は、裏面側にヒータ収容凹部が形成されたパネル基材と、前記ヒータ収容凹部に収容される、上側に均熱シートが配設された電気ヒータと、前記ヒータ収容凹部に前記電気ヒータが収容された状態で、前記ヒータ収容凹部を閉塞する裏板とを備えた床暖房パネルにおいて、前記裏板は断熱材によって形成されていると共に、前記パネル基材の裏面側には前記裏板が嵌合する嵌合凹部が形成されており、前記電気ヒータは、前記裏板に予め固着されており、前記ヒータ収容凹部は、前記嵌合凹部より小さく、前記嵌合凹部の内側に形成されており、前記裏板の周縁部と前記嵌合凹部とが直接接着固定されていることを特徴とする床暖房パネルを提供するものである。なお、前記裏板は、ヒータ収容凹部を完全に閉塞するものに限定されるものではなく、一部分を残してヒータ収容凹部を略閉塞するものであってもよい。
【０００８】
以上のように構成された床暖房パネルでは、パネル基材のヒータ収容凹部を閉塞する裏板を断熱材によって形成するようにしたため、ヒータ収容凹部に収容された電気ヒータからパネル基材の裏面側への熱放出が防止され、パネル基材の表面側を効率よく加熱することができる。
【０００９】
従って、この床暖房パネルを用いて床暖房フロアを施工する場合、従来の床暖房パネルのように、捨貼合板等からなる床下地材の上に断熱性シート等の断熱材を別途敷設する必要がなく、床下地材の上に直接敷設することができるので、床暖房フロアを効率よく施工することができると共に施工コストの削減を図ることができる。
【００１０】
また、この床暖房パネルを用いて床暖房フロアを施工する場合は、上述したように、捨貼合板等からなる床下地材の上にこの床暖房パネルを直接敷設することができるので、床下地材の上に断熱性シートを敷設しなければならない従来の床暖房パネルの場合に比べて、断熱性シートの厚み分だけ床暖房フロアの仕上げ高さを低くすることができるという効果がある。
【００１１】
さらに、断熱材は一般的に軽量であるので、ＭＤＦ等の木質材によって裏板が形成されている従来の床暖房パネルに比べて、パネル全体の軽量化を図ることができるという効果もある。
【００１２】
また、裏板と電気ヒータとが予め固着されているので、裏板付きの電気ヒータをパネル基材のヒータ収容凹部に収容する際、裏板をパネル基材に固着することによって、電気ヒータの収容作業と裏板の取付作業とを同時に行うことができるので、床暖房パネルを効率よく製造することができるという効果がある。
【００１３】
【発明の実施の形態】
以下、実施の形態について図面を参照して説明する。図１〜図４に示すように、この床暖房パネル１は、長方形状のパネル本体１０と、このパネル本体１０に内蔵される自己温度制御特性を有する面状発熱体２０と、この面状発熱体２０に結線された状態でパネル本体１０をその短手方向に横断する電源線３０ａ及びアース線３０ｂと、この電源線３０ａ及びアース線３０ｂの両端にそれぞれ接続された固定側コネクタ４０ａ、可動側コネクタ４０ｂとから構成されている。
【００１４】
前記パネル本体１０は、図１（ａ）、（ｂ）及び図２（ａ）に示すように、表面に突板等の表面化粧材（図示せず）が貼着された、３プライ合板または５プライ合板等の木質板からなるパネル基材１１と、このパネル基材１１の裏面側に形成された嵌合凹部１１ａに嵌め込まれる、ウレタン発泡シート等の断熱材によって形成された裏板１６ａ、１６ｂとから構成されており、パネル基材１１の表面には、長手方向に伸びる３本の擬似溝１２ａが一定間隔で形成されていると共に、短手方向に伸びる複数本の擬似溝１２ｂがランダムな位置に形成されている。
【００１５】
パネル基材１１の端面には、図１（ａ）、（ｂ）及び図３（ａ）に示すように、実結合するための雄実部１３ａまたは雌実部１３ｂが形成されており、パネル基材１１の裏面側には、嵌合凹部１１ａの内側に面状発熱体２０を収容するためのヒータ収容凹部１１ｂが形成されている。
【００１６】
また、パネル基材１１の裏面側には、図２（ａ）に示すように、その長辺部分に前記固定側コネクタ４０ａ及び可動側コネクタ４０ｂをそれぞれ収容するための固定側コネクタ収容凹部１４ａ及び可動側コネクタ収容凹部１４ｂが形成されていると共に、電源線３０ａ及びアース線３０ｂが横断する部分に両コネクタ収容凹部１４ａ、１４ｂを結ぶ浅い連結溝１５が形成されている。図１（ａ）、（ｂ）及び図３（ｃ）に示すように、固定側コネクタ４０ａは、固定側コネクタ収容凹部１４ａ内に収容された状態で固定設置されるが、可動側コネクタ４０ｂは、パネル基材１１から引出可能に可動側コネクタ収容凹部１４ｂ内に収容されるようになっている。
【００１７】
可動側コネクタ４０ｂをパネル基材１１から引出可能に収容する可動側コネクタ収容凹部１４ｂには、図２（ａ）及び図３（ｂ）、（ｃ）に示すように、その上面に、門型の補強板１７が固着されており、この補強板１７によって可動側コネクタ収容凹部１４ｂの上面が完全に覆われている。この補強板１７は、アルマイト仕上げ（絶縁処理済み）のアルミニウムによって形成されており、図５に示すように、可動側コネクタ収容凹部１４ｂの上面を覆う本体部１７ａと、この本体部１７ａの両側縁から垂下した垂下部１７ｂ、１７ｃとから構成されている。
【００１８】
可動側コネクタ収容凹部１４ｂは、電源線３０ａ及びアース線３０ｂの一部を屈曲させた状態でコネクタ４０ｂと共に収容しなければならないので、図２（ａ）、図３（ｃ）に示すように、固定側コネクタ収容凹部１４ａに比べてその幅及び奥行きが大きくなっている。
【００１９】
前記面状発熱体２０は、図２（ｂ）に一点鎖線で示すように、発熱部分２１が二分割されており、二分割された発熱部分２１間の非発熱部分に、固定側コネクタ４０ａ及び可動側コネクタ４０ｂがそれぞれ接続された電源線３０ａ及びアース線３０ｂが予め結線された状態で配設されている。なお、この面状発熱体２０には、表面側にアルミニウム箔等からなる熱伝導性の良好な均熱シート（図示せず）が予め貼着された状態で、合成樹脂フィルムによってラミネートされている。
【００２０】
この面状発熱体２０の裏面側には、図２（ｃ）及び図３（ａ）、（ｂ）に示すように、発熱部分２１を覆うように、一定の間隔を開けた状態で裏板１６ａ、１６ｂが予め貼着されており、裏板１６ａ、１６ｂの間に、電源線３０ａ及びアース線３０ｂが収容されるようになっている。
【００２１】
このように、裏板１６ａ、１６ｂが貼着された面状発熱体２０をパネル基材１１の裏面側に形成されたヒータ収容凹部１１ｂに収容すると、裏板１６ａ、１６ｂがパネル基材１１に形成された嵌合凹部１１ａに嵌め込まれるようになっており、ヒータ収容凹部１１ｂに収容される面状発熱体２０は、接着剤を介してヒータ収容凹部１１ｂの上面に接着固定されている。
【００２２】
以上のように構成された床暖房パネル１０は、パネル基材１１のヒータ収容凹部１１ｂを閉塞する裏板１６ａ、１６ｂをウレタン発砲シート等の断熱材によって形成するようにしたため、ヒータ収容凹部１１ｂに収容された面状発熱体２０からパネル基材１１の裏面側への熱放出が防止され、パネル基材１１の表面側を効率よく加熱することができる。
【００２３】
従って、この床暖房パネル１を用いて床暖房フロアを施工する場合、図６に示すように、捨貼合板等からなる床下地材Ｂの上に床暖房パネル１を直接敷設することができるので、従来の床暖房パネルのように、床下地材の上に断熱性シート等の断熱材を別途敷設する必要がなく、床暖房フロアを効率よく施工することができると共に施工コストの削減を図ることができる。
【００２４】
また、この床暖房パネル１を用いて床暖房フロアを施工する場合は、上述したように、床下地材Ｂの上に断熱性シートを別途敷設する必要がないので、断熱性シートの厚み分だけ床暖房フロアの仕上げ高さを低くすることができるという効果もある。
【００２５】
また、この床暖房パネル１は、一般的に軽量である断熱材によって裏板１６ａ、１６ｂが形成されているので、ＭＤＦ等の木質材によって裏板が形成されている従来の床暖房パネルに比べて、裏板１６ａ、１６ｂの重量が小さくなり、床暖房パネル１全体の軽量化を図ることができる。
【００２６】
特に、この床暖房パネル１は、裏板１６ａ、１６ｂが面状発熱体２０の裏面側に予め貼着されているので、面状発熱体２０をパネル基材１１のヒータ収容凹部１１ｂに収容する際、面状発熱体２０をパネル基材１１のヒータ収容凹部１１ｂに接着固定することによって、面状発熱体２０の収容作業と裏板１６ａ、１６ｂの取付作業とを同時に行うことができるので、床暖房パネル１を効率よく製造することができる。
【００２７】
なお、上述した実施形態では、断熱材によって形成された裏板１６ａ、１６ｂを面状発熱体２０の裏面側に予め貼着しているが、これに限定されるものではなく、面状発熱体２０をパネル基材１１のヒータ収容凹部１１ｂに収容した後、裏板１６ａ、１６ｂをパネル基材１１の嵌合凹部１１ａに嵌め込んで接着固定することも可能である。
【００２８】
また、上述した実施形態では、電気ヒータとして自己温度制御特性を有する面状発熱体２０を使用しているが、これに限定されるものではなく、線ヒータを使用することも可能である。その場合は、裏板１６ａ、１６ｂの表面側に、所定のヒータパターンに沿って布線した状態で線ヒータを接着固定しておくことが望ましい。
【００２９】
また、上述した実施形態では、２枚の裏板１６ａ、１６ｂによって、電源線３０ａ及びアース線３０ｂの横断領域を除いたヒータ収容凹部１１ｂの略全領域を閉塞するようにしているが、これに限定されるものではなく、１枚の裏板によって、ヒータ収容凹部１１ｂの全領域を完全に閉塞することも可能である。
【００３０】
また、上述した実施形態は、パネル本体１０が長方形状の床暖房パネルであるが、本発明の床暖房パネルは、こういった形状に限定されるものではなく、パネル本体が雁行形状の床暖房パネルについても適用することができることは言うまでもない。
【００３１】
また、上述した実施形態では、アルミニウム製の補強板１７を使用しているが、アルミニウム以外の金属や合成樹脂によって形成された補強板を使用することもでき、垂下部１７ｂ、１７ｃを省略することも可能である。ただし、垂下部１７ｂ、１７ｃを設けることによって、補強板１７の強度が向上することはいうまでもない。
【図面の簡単な説明】
【図１】（ａ）はこの発明にかかる床暖房パネルの一実施形態を示す平面図、（ｂ）は同上の床暖房パネルを示す裏面図である。
【図２】（ａ）は同上の床暖房パネルにおけるパネル基材を示す裏面図、（ｂ）は同上の床暖房パネルにおける面状発熱体を示す平面図、（ｃ）は同上の面状発熱体の裏面側に固着された裏板を示す裏面図である。
【図３】（ａ）は図１（ａ）のＸ−Ｘ線に沿った断面図、（ｂ）は図１（ａ）のＹ−Ｙ線に沿った断面図、（ｃ）は図１（ａ）のＺ−Ｚ線に沿った断面図である。
【図４】同上の床暖房パネルにおける可動側コネクタを可動側コネクタ収容凹部に収容した状態を示す端面図である。
【図５】同上の床暖房パネルに使用される補強板を示す斜視図である。
【図６】同上の床暖房パネルを用いた床暖房フロアの施工方法を示す断面図である。
【図７】（ａ）は従来の床暖房パネルを示す平面図、（ｂ）は同上の床暖房パネルを示す裏面図である。
【図８】（ａ）は同上の床暖房パネルを示す部分断面図、（ｂ）は同上の床暖房パネルを示す部分分解断面図である。
【図９】（ａ）、（ｂ）は同上の床暖房パネルを用いた床暖房フロアの施工方法を示す断面図である。
【符号の説明】
１  床暖房パネル
１０  パネル本体
１１  パネル基材
１４ａ  固定側コネクタ収容凹部
１４ｂ  可動側コネクタ収容凹部
１６ａ、１６ｂ  裏板
１７  補強板
２０  面状発熱体
３０ａ  電源線
３０ｂ  アース線
４０ａ  固定側コネクタ
４０ｂ  可動側コネクタ
【図１】
0004267179.tif 000002
【図２】
0004267179.tif 000003
【図３】
0004267179.tif 000004
【図４】
0004267179.tif 000005
【図５】
0004267179.tif 000006
【図６】
0004267179.tif 000007
【図７】
0004267179.tif 000008
【図８】
0004267179.tif 000009
【図９】
0004267179.tif 000010